(57)【要約】【課題】動作中に、電力増幅器の取り外しまたは取り付けが行われても、他の電力増幅器からの出力信号の漏れにより他の回路に与えるダメージを防止する。【解決手段】実施形態によれば、デジタル振幅変調装置は、被変調信号の電圧振幅レベルに応じてオン／オフ制御可能で並列に配置された複数の電力増幅器で所定の信号を電力増幅し、各電力増幅器に接続されるトランスの一次巻線と、トランスの一次巻線に対向する二次巻線とから成る合成器で各電力増幅器の出力を合成することにより振幅変調波を生成するデジタル振幅変調装置において、複数の電力増幅器の各々は、第１の切替手段と、第２の切替手段を備える。第１の切替手段は、電力の供給と遮断とを切り替える。第２の切替手段は、電力の供給と遮断が切り替えられる電力増幅器のトランスの一次巻線をノーマル開放状態または短絡状態に切り替えるとともに、オン／オフ制御信号の供給または遮断を切り替える。【選択図】      図２
2014068191.tif 000002
【特許請求の範囲】
【請求項１】
被変調信号の電圧振幅レベルに応じてオン／オフ制御可能で並列に配置された複数の電力増幅器で所定の信号を電力増幅し、各電力増幅器に接続されるトランスの一次巻線と、前記トランスの一次巻線に対向する二次巻線とから成る合成器で各電力増幅器の出力を合成することで振幅変調波を生成するデジタル振幅変調装置において、
前記複数の電力増幅器の各々は、
電力の供給と遮断とを切り替える第１の切替手段と、
前記第１の切替手段により電力の供給と遮断が切り替えられる電力増幅器の前記トランスの一次巻線をノーマル開放状態または短絡状態に切り替えるとともに、前記電力増幅器に入力されるオン／オフ制御信号の供給または遮断を切り替える第２の切替手段とを具備することを特徴とするデジタル振幅変調装置。
【請求項２】
前記第２の切替手段は、ヒューズを具備し、このヒューズの切断をトリガとして、電力が遮断される電力増幅器の前記トランスの一次巻線を短絡状態とし、前記電力増幅器へ入力されるオン／オフ制御信号を遮断することを特徴とする請求項１記載のデジタル振幅変調装置。
【請求項３】
前記第２の切替手段は、ヒューズを具備し、このヒューズが導通していることをトリガとして、電力が供給される電力増幅器の前記トランスの一次巻線を開放状態とし、前記電力増幅器へ入力されるオン／オフ制御信号を供給することを特徴とする請求項１記載のデジタル振幅変調装置。
【請求項４】
前記第２の切替手段は、着脱自在な制御コネクタであることを特徴とする請求項１記載のデジタル振幅変調装置。
【請求項５】
前記第２の切替手段は、前記制御コネクタが抜かれたことをトリガとして、電力が遮断される電力増幅器の前記トランスの一次巻線を短絡状態とし、前記電力増幅器へ入力されるオン／オフ制御信号を遮断することを特徴とする請求項４記載のデジタル振幅変調装置。
【請求項６】
前記第２の切替手段は、前記制御コネクタが取り付けられたことをトリガとして、電力が供給される電力増幅器の前記トランスの一次巻線を開放状態とし、前記電力増幅器へ入力されるオン／オフ制御信号を供給することを特徴とする請求項４記載のデジタル振幅変調装置。
【請求項７】
前記第２の切替手段は、リレー回路であることを特徴とする請求項１記載のデジタル振幅変調装置。
【発明の詳細な説明】
【技術分野】
【０００１】
本発明の実施形態は、例えば、中波放送の送信装置に用いられるデジタル振幅変調装置に関する。
【背景技術】
【０００２】
例えば中波放送においては、並列に配置された複数の電力増幅器を有し、被変調信号の電圧振幅レベルに合わせて複数の電力増幅器をオン／オフ制御することで増幅されたキャリア信号が出力される電力増幅器の台数を変更し、オン状態の電力増幅器の各出力信号を合成することでＡＭ波（振幅変調波：Amplitude Modulation Wave）を生成し所定の放送サービスエリアへ送出するデジタル振幅変調装置が利用されている。
【０００３】
上記デジタル振幅変調装置では、長年にわたる安定動作が要求されることになるため、定期的に電力増幅器のメンテナンスを必要とする。このメンテナンス作業としては、上記デジタル振幅変調装置の動作中に、電力増幅器をデジタル振幅変調装置から取り外すことにより行われる。また、万一、電力増幅器が故障した場合に、故障した電力増幅器を取り外して、正常な電力増幅器に交換する必要がある。
【０００４】
ところが、上記デジタル振幅変調装置の動作中に、電力増幅器をデジタル振幅変調装置から取り外したり、電力増幅器を取り付けたりすると、他の電力増幅器からの出力信号が漏れてきて、他の関連する回路にダメージを与えることがある。
【０００５】
例えば、特許文献１では、デジタル振幅変調装置の動作中において、複数の電力増幅器の1つの電力増幅器の切り離し取り付けおよび／または交換のために、ディスエイブル信号によりオフ状態を実現する機能を有した電力増幅器と、イネーブルとディスエイブルとを制御するスイッチならびにコントローラと、一次巻線のノーマル開放状態と短絡状態とを実現する短絡用スイッチならびにスイッチドライバとを具備し、電力増幅器においてディスエイブル信号により電力増幅器のオフ状態を実現するステップと、電力増幅器に関連する一次巻線を短絡させるステップと、電力増幅器をデジタル振幅変調装置から切り離すステップとを備えることを特徴とするデジタル振幅変調装置が提案されている。
【先行技術文献】
【特許文献】
【０００６】
【特許文献１】特開２００１−３５２２５９号公報
【発明の概要】
【発明が解決しようとする課題】
【０００７】
ところで、上記特許文献１で提案されているデジタル振幅変調装置では、タイマを使用し、電力増幅器のオフ状態を実現するステップの後に、短時間の時間遅れ（数ミリ秒）を実現させ、電力増幅器に関連する一次巻線を短絡させる。そのため、短時間の間、一次巻線に他の電力増幅器からの出力信号が漏れてきて、トランスその他の関連する回路にダメージが生じる可能性がある。
【０００８】
本発明の目的は、動作中に、電力増幅器の取り外しまたは取り付けが行われても、他の電力増幅器からの出力信号の漏れにより他の回路に与えるダメージを防止し得るデジタル振幅変調装置を提供することにある。
【課題を解決するための手段】
【０００９】
実施形態によれば、実施形態によれば、デジタル振幅変調装置は、被変調信号の電圧振幅レベルに応じてオン／オフ制御可能で並列に配置された複数の電力増幅器で所定の信号を電力増幅し、各電力増幅器に接続されるトランスの一次巻線と、トランスの一次巻線に対向する二次巻線とから成る合成器で各電力増幅器の出力を合成することにより振幅変調波を生成するデジタル振幅変調装置において、複数の電力増幅器の各々は、第１の切替手段と、第２の切替手段を備える。第１の切替手段は、電力の供給と遮断とを切り替える。第２の切替手段は、第１の切替手段により電力の供給と遮断が切り替えられる電力増幅器のトランスの一次巻線をノーマル開放状態または短絡状態に切り替えるとともに、電力増幅器に入力されるオン／オフ制御信号の供給または遮断を切り替える。
【図面の簡単な説明】
【００１０】
【図１】第１実施形態に係るデジタル振幅変調装置の構成を示すブロック図。
【図２】第１実施形態に係る電力増幅器及び合成部の具体的構成を示す回路構成図。
【図３】第１実施形態に係る電力増幅器の出力電圧を示す特性図。
【図４】第１実施形態に係るリレー回路を示す回路構成図。
【図５】第２の実施形態に係る電力増幅器及び合成部の具体的構成を示す回路構成図。
【図６】第２の実施形態において、電力増幅器を取り外すときの電源電圧遮断制御手順及びその内容を示すフローチャート。
【図７】第２の実施形態に係る電力増幅器及び合成部の具体的構成を示す他の回路構成図。
【図８】第２の実施形態において、電力増幅器を取り付けるときの電源電圧遮断制御手順及びその内容を示すフローチャート。
【図９】第３の実施形態において、電力増幅器を取り外すときの電源電圧遮断制御手順及びその内容を示すフローチャート。
【図１０】第３の実施形態において、電力増幅器を取り付けるときの電源電圧遮断制御手順及びその内容を示すフローチャート。
【発明を実施するための形態】
【００１１】
以下、実施の形態について、図面を参照して説明する。
【００１２】
（第１の実施形態）  
図１は、第１実施形態に係るデジタル振幅変調装置の構成を示すブロック図である。
【００１３】
図１に示すデジタル振幅変調装置１００のキャリア信号入力端１０１には、伝送信号としてのキャリア信号が入力される。キャリア信号入力端１０１に入力されたキャリア信号は、電力増幅部（PA：Power Amplifier）１２０のｎ（ｎは任意の自然数）台の電力増幅器１２０１〜１２０ｎに分配されて供給される。各電力増幅器１２０１〜１２０ｎは、制御部１１０の制御に応じて、オン＝駆動状態、オフ＝停止状態となり、オン状態で増幅されたキャリア信号を出力する。
【００１４】
増幅されたキャリア信号は合成部１３０で合成され、フィルタ部１４０で濾波された後、振幅変調されたＲＦ帯の放送波（ＡＭ波）として出力信号端１０３から出力される。出力信号端１０３の先には図示しない送信アンテナが接続されるが、一般的にはその間に整合回路やフィルタ、リジェクタ、トラック回路などが挿入される。
【００１５】
一方、デジタル振幅変調装置１００に入力される音声信号（被変調信号）は、制御部１１０に入力される。制御部１１０は、入力された音声信号の電圧振幅に応じて、オン／オフ制御信号やキャリア信号の位相差により各々の電力増幅器１２０１〜１２０ｎのオン／オフ状態を制御する。
【００１６】
図２は、電力増幅器１２０１〜１２０ｎ及び合成部１３０の具体的構成を示す回路構成図である。ここでは、電力増幅器１２０２を代表して説明する。
【００１７】
電力増幅器１２０２は、例えばＭＯＳＦＥＴ等で成るスイッチング素子１３〜１６によるＤ級フルブリッジ構成であり、スイッチ１２１を介して電源電圧Ｖｉｎが供給されている。
【００１８】
合成部１３０は、ｎ個のトランス（＃１〜＃ｎ）を備え、一次巻線を電力増幅器１２０２の出力端に接続し、二次巻線を直列に接続し、その一方端を、直接接地し、もしくは、コイル、コンデンサ、抵抗、またはそれらの組み合わせとを介して接地し、他方端を合成出力端としたものである。すなわち、合成部１３０では、電力増幅器１２０１〜１２０ｎのいずれかで電力増幅されたキャリア信号が一次巻線に加えられると、二次巻線側に出力され、合成される。
【００１９】
さらに、電力増幅器１２０２には、制御部１１０に対し着脱自在に装着可能な制御コネクタ１０と、スイッチ１２１を切替制御するためのスイッチコントローラ１１と、トランス＃２の一次巻線を短絡もしくは開放させるリレー回路１２が備えられる。制御コネクタ１０には、オン／オフ制御信号および／またはキャリア信号と、電力増幅器に関連する一次巻線を短絡もしくは開放させるための切替用電流とが流れている。なお、他の電力増幅器１２０１，１２０３〜１２０ｎも電力増幅器１２０２と同様にそれぞれ、制御コネクタ１０と、スイッチコントローラ１１と、リレー回路１２が備えられる。
【００２０】
電力増幅器１２０２では、制御部１１０から制御コネクタ１０を介してオン／オフ制御信号もしくはキャリア信号が供給されると、各スイッチング素子１３〜１６がスイッチング制御されて、図３に示すようなＲＦ信号を出力する。すなわち、ＲＦ信号Ｓ１では、スイッチング素子１３及びスイッチング素子１６がオン状態、スイッチング素子１４及びスイッチング素子１５がオフ状態となる。一方、ＲＦ信号Ｓ２では、スイッチング素子１４及びスイッチング素子１５がオン状態、スイッチング素子１３及びスイッチング素子１６がオフ状態となる。
【００２１】
リレー回路１２は、図４に示すように、スイッチ１２ａを備えており、リレー用電源１２３からリレー用電流がコイル１２ｂに供給されている場合、スイッチ１２ａが端子１２ｃ側に切り替えられ、ノーマル開放状態にある。そして、制御コネクタ１０が取り外されると、リレー用電源１２３からリレー用電流がコイル１２ｂに供給されず、スイッチ１２ａが端子１２ｄ側に切り替えられ、トランス＃２の一次巻線を短絡することになる。
【００２２】
次に、上記構成による電力増幅器の取り外しまたは取り付け動作を説明する。
【００２３】
電力増幅器１２０１〜１２０ｎの各々は、図２に示す電力増幅器１２０２と同様に電源１２２からの電源電力を遮断するスイッチコントローラ１１とスイッチ１２１とを備えている。また、制御部１１０ならびにリレー用電源１２３とを備え、電力増幅器１２０１〜１２０ｎの各々は制御コネクタ１０を介して接続されている。
【００２４】
デジタル振幅変調装置の動作中において、複数の電力増幅器１２０１〜１２０ｎの１つの電力増幅器１２０２の取り外しを行う際、スイッチ１２１を用いて、まず電源電力を遮断した上で、その次に、制御コネクタ１０を抜くことにより、デジタル振幅変調装置の動作中における他の電力増幅器１２０１，１２０３〜１２０ｎからの出力信号の漏れによるトランスその他の関連する回路にダメージを防止することができる。これは、電源遮断後、すなわち出力０の場合の電流は、スイッチング素子１４及びスイッチング素子１５もしくはスイッチング素子１３及びスイッチング素子１６がオン状態であるため、ＧＮＤに流れるためであり、トランス＃２の一次巻線を短絡状態とすることで、トランスとして動作しなくなることから電流を消失させ、電力増幅器１２０２及びトランス＃２その他回路を保護することができるためである。
【００２５】
なお、トランス＃２の一次巻線が短絡状態の時に、スイッチング素子１３及びスイッチング素子１６、もしくはスイッチング素子１４及びスイッチング素子１５がオン状態となっても電源が遮断されているため、電流は発生しない。従って、これらの状態切り替えの順番はどのような関係でもよい。
【００２６】
一方、取り付け時には逆の操作、すなわち、制御コネクタ１０を挿すことで、オン／オフ制御信号を供給し、トランス＃２の一次巻線をノーマル開放状態とし、その上で、電源電力を供給することで、他の電力増幅器１２０１，１２０３〜１２０ｎの動作を阻害することなく、複数の電力増幅器１２０１〜１２０ｎの１つの電力増幅器１２０２の取り付けを行うことができる。
【００２７】
以上のように上記第１の実施形態では、複数の電力増幅器１２０１〜１２０ｎのオン／オフ制御やリレー回路１２の動作の状態切り替えが制御コネクタ１０を介して制御部１１０により行われることで、オペレータが電力増幅器１２０２に制御コネクタ１０を着脱するだけで、取り外し取り付けおよび／または交換が簡単に行える。すなわち、デジタル振幅変調装置の動作中において、１つの電力増幅器１２０２の取り外しを行う際には、取り外しを行う電力増幅器１２０２に供給する電力をスイッチ１２１により遮断した上で、電力の供給が遮断された電力増幅器１２０２に関連するトランス＃２の一次巻線をリレー回路１２による短絡状態ならびにオン／オフ制御信号の遮断をするようにしている。一方、取り付けを行う際には、電力増幅器１２０２に関連するトランス＃２の一次巻線をリレー回路１２によりノーマル開放状態ならびにオン／オフ制御信号の供給するようにした上で、電源を供給するようにしている。
【００２８】
従って、動作中における他の電力増幅器１２０１，１２０３〜１２０ｎからの出力信号の漏れによるトランス＃２及びその他の関連する回路に与えられるダメージを防止できる。
【００２９】
（第２の実施形態）  
第２の実施形態は、ヒューズが切断されることをトリガにして、トランスの一次巻線をリレー回路１２により短絡状態とするようにしたものである。
【００３０】
図５は、第２の実施形態に係る電力増幅器１２０１〜１２０ｎ及び合成部１３０の具体的構成を示す回路構成図である。ここでは、電力増幅器１２０２を代表して説明する。図５において、上記図２と同一部分には同一符号を付して詳細な説明を省略する。
【００３１】
各スイッチング素子１３〜１６には、ヒューズ２１を介して電源２２からの電源電圧Ｖｉｎが供給されることになる。ここで、例えば落雷時に、電力増幅器１２０１〜１２０ｎから大きな出力が発生し、過電流により電力増幅器１２０２のヒューズ２１が切断される場合がある。そのような場合には、電源電圧Ｖｉｎの供給が遮断され、スイッチング素子１３〜１６の出力が０となる。このとき、トランス＃２の一次巻線に電流が発生することを避けるために、トランス＃２の一次巻線をリレー回路１２により短絡状態とする。
【００３２】
次に、上記構成による電力増幅器１２０１〜１２０ｎの取り外し及び取り付の動作について、それぞれ図６及び図７を用いて説明する。ここでは、電力増幅器１２０２を例に挙げて取り外し及び取り付けの動作を説明するが、その他の電力増幅器においても同様である。
【００３３】
図６は、電力増幅器１２０２を取り外すときの電源電圧遮断制御手順及びその内容を示すフローチャートである。
【００３４】
まず、電力増幅器１２０２が動作中であるか否かが検出され（ステップＳＴ６ａ）、動作中である場合（ステップＳＴ６ａでＹｅｓ）、ヒューズ２１が切断されているか否かが常時監視される（ステップＳＴ６ｂ）。ここで、例えば落雷などの原因により、電力増幅器１２０２に過電流が発生したために、ヒューズ２１が切断された場合（ステップＳＴ６ｂでＹｅｓ）、トランス＃２の一次巻線をリレー回路１２により短絡状態とし、制御コネクタ１０を介して電力増幅器１２０２に入力されるオン／オフ制御信号の遮断をする（ステップＳＴ６ｃ）。
【００３５】
なお、上記ステップＳＴ６ｂにおいて、ヒューズ２１が切断されていない場合（ステップＳＴ６ｂでＮｏ）であれば、トランス＃２の一次巻線をリレー回路１２によりノーマル開放状態とし、上記ステップＳＴ６ａ及びステップＳＴ６ｂの処理を繰り返し実行することになる。
【００３６】
以上のように上記第２の実施形態によれば、ヒューズ２１が切断されると、自動的にトランスの一次巻線をリレー回路１２により短絡状態に切り替えられ、かつ、他の電力増幅器から分離されるので、電力増幅器１２０２の取り外しが簡単に行える。
【００３７】
次に、電力増幅器１２０２を取り付けるときの電源電圧供給制御手順を示すが、本手順における電力増幅器１２０２は図５で説明した構成の他に、図７に示すように、スイッチング素子１２〜１６とヒューズ２１との間に、スイッチ１２４が設けられている。この電力増幅器１２０２では、スイッチ１２４及びヒューズ２１を介して電源２２からの電源電圧Ｖｉｎが供給されることになり、例えば落雷時に、電力増幅器１２０１〜１２０ｎに大きな電圧がかけられ、電力増幅器１２０２のヒューズ２１が切断される場合には、スイッチ１２４が自動的にオフ状態となり、電源電圧Ｖｉｎが遮断される。このとき、トランス＃２の一次巻線に流れる電流は、スイッチング素子１３及びスイッチング素子１６、もしくはスイッチング素子１４及びスイッチング素子１５がオン状態となることにより、グランド（ＧＮＤ）に吸収されることになる。その後、トランス＃２の一次巻線側を短絡することで、この電流を消失させる。
【００３８】
図８は、電力増幅器１２０２を取り付けるときの電源電圧供給制御手順及びその内容を示すフローチャートである。
【００３９】
まず、電力増幅器１２０２を取り付けた後に、制御コネクタ１０を介して電力増幅器１２０２に入力されるオン／オフ制御信号の供給を行い、トランス＃２の一次巻線をリレー回路１２によりノーマル開放状態とする（ステップＳＴ８ａ）。その後、ヒューズ２１の導通状態の確認をし（ステップＳＴ８ｂ）、導通していることが確認されると（ステップＳＴ８ｂでＹＥＳ）、電力増幅器１２０２へ電源を供給する（ステップＳＴ８ｃ）。なお、ヒューズ２１の導通していることが確認できない場合（ステップＳＴ８ｂでＮＯ）、オン／オフ制御信号の供給をし、トランス＃２の一次巻線をリレー回路１２によりノーマル開放状態とするステップＳＴ８ａの処理を繰り返し実行する。
【００４０】
この場合は、トランス＃２の一次巻線側に流れる電流はＧＮＤに吸収されるため、トランス＃２及びその他の回路に与えられるダメージを防止できる。
【００４１】
以上のように上記第２の実施形態によれば、電力増幅器１２０２に関連するトランス＃２の一次巻線をリレー回路１２によりノーマル開放状態にし、ならびにオン／オフ制御信号を供給するようにした上で電源を供給するようにしているので、デジタル振幅変調装置における他の電力増幅器の動作を阻害することなく、電力増幅器１２０２の取り付けが行える。
【００４２】
なお、本第２の実施形態において、図７に示すスイッチ１２４は、取り外し時の動作で説明した図５に示す電力増幅器１２０２に設けられてもよい。また、本第２の実施形態において、第１の実施形態で説明した図２に示すスイッチコントローラ１１を設けることも可能である。
【００４３】
（第３の実施形態）  
第３の実施形態は、制御コネクタ１０を電力増幅器及び制御部から抜き出すことをトリガにして、電力増幅器１２０１〜１２０ｎの取り外し及び取り付けの動作について、それぞれ図９及び図１０を用いて説明する。ここでは、図２に示す電力増幅器１２０２を例に挙げ、取り外し及び取り付けの動作を説明するがその他の電力増幅器においても同様である。
【００４４】
図９は、第３の実施形態に係る電力増幅器１２０２を取り外すときの電源電圧遮断制御手順及びその内容を示すフローチャートである。
【００４５】
オペレータが、デジタル振幅変調装置の動作中に（ステップＳＴ９ａのＹＥＳ）、例えば故障などの理由により電力増幅器１２０２を他の正常な電力増幅器と交換するべく、電力の供給を遮断した後、電力増幅器１２０２の制御コネクタ１０を引き抜いた場合（ステップＳＴ９ｂのＹＥＳ）、トランス＃２の一次巻線をリレー回路１２により短絡状態となり、制御コネクタ１０を介して電力増幅器１２０２に入力されるオン／オフ制御信号が遮断される（ステップＳＴ９ｃ）。なお、上記ステップＳＴ９ｂにおいて、制御コネクタ１０が抜き出されなければ（ステップＳＴ９ｂのＮｏ）、電力増幅器１２０２は上記ステップＳＴ９ａ及びステップＳＴ９ｂの処理を繰り返し実行する。
【００４６】
以上のように上記第３の実施形態によれば、制御コネクタ１０が電力増幅器１２０２から抜かれれば、電力の供給が遮断された電力増幅器１２０２に関連するトランス＃２の一次巻線をリレー回路１２による短絡状態ならびにオン／オフ制御信号の遮断をするようにしているので、例えば故障した電力増幅器１２０２を安全に取り外して、他の電力増幅器と交換することができる。
【００４７】
図１０は、第３の実施形態に係る電力増幅器１２０２を取り付けるときの電源電圧供給制御手順及びその内容を示すフローチャートである。
【００４８】
オペレータが、例えば故障などの理由により電力増幅器１２０２を他の正常な電力増幅器と交換する場合、当該正常な電力増幅器を取り付け後、まず、制御コネクタ１０を介して電力増幅器１２０２に入力されるオン／オフ制御信号の供給を行い、トランス＃２の一次巻線をリレー回路１２によりノーマル開放状態とする（ステップＳＴ１０ａ）。その後、電源増幅器１２０２の制御コネクト１０が差し込まれることが確認されると（ステップＳＴ１０ｂのＹＥＳ）、取り付けられた電力増幅器１２０２へ電源を供給する（ステップＳＴ１０ｃ）。
【００４９】
以上のように上記第３の実施形態によれば、電力増幅器１２０２に関連するトランス＃２の一次巻線をリレー回路１２によりノーマル開放状態ならびにオン／オフ制御信号の供給するようにした上で電源を供給するようにしているので、デジタル振幅変調装置における他の電源増幅器の動作を阻害することなく、電力増幅器１２０２の取り付けが行える。
【００５０】
（その他の実施形態）  
上記各実施形態では、電力増幅器に関連するトランスの一次巻線を短絡状態またはノーマル開放状態とさせる手段としてリレー回路を用いる例について説明したが、各実施形態で説明したリレー回路に限定されるものではなく、リレー回路としてメカニカルリレーを用いて説明を行ったが、半導体リレーやハイブリッドリレーもしくは切替を実現するその他の回路を用いてもよい。
【００５１】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５２】
１０…制御コネクタ、１１…スイッチコントローラ、１２…リレー回路、１３〜１６…スイッチング素子、２１…ヒューズ、２２…電源、１００…デジタル振幅変調装置、１２０１〜１２０ｎ…電力増幅器、１２１…スイッチ、１２２…電源、１２３…リレー用電源、１３０…合成部、１４０…フィルタ部。
【図１】
2014068191.tif 000003
【図２】
2014068191.tif 000004
【図３】
2014068191.tif 000005
【図４】
2014068191.tif 000006
【図５】
2014068191.tif 000007
【図６】
2014068191.tif 000008
【図７】
2014068191.tif 000009
【図８】
2014068191.tif 000010
【図９】
2014068191.tif 000011
【図１０】
2014068191.tif 000012